(57)【要約】【課題】Ｓｃｅｌｌとして追加することができないセルについての情報を管理することによって、通信事業者によるセルプラニングに活用させる。【解決手段】本発明に係る無線基地局ｅＮＢは、「Ｍｅａｓｕｒｅｍｅｎｔ  Ｒｅｐｏｒｔ」に含まれているＰＣＩ/ＥＣＧＩによって特定されるセルがＳｃｅｌｌとして追加可能であるか否かについて管理するように構成されている管理部１２を具備する。【選択図】図２
2014135598.tif 000002
【特許請求の範囲】
【請求項１】
測定報告に含まれているセル識別情報によって特定されるセルがセカンダリセルとして追加可能であるか否かについて管理するように構成されている管理部を具備することを特徴とする無線基地局。
【請求項２】
前記管理部は、前記セルがセカンダリセルとして追加可能でない場合には、該セルがセカンダリセルとして追加可能でない理由について管理するように構成されていることを特徴とする請求項１に記載の無線基地局。
【請求項３】
前記理由は、前記セカンダリセルにおける輻輳レベルが所定閾値よりも高いことを示すことを特徴とする請求項２に記載の無線基地局。
【請求項４】
前記理由は、前記セカンダリセルがプライマリセルを管理する無線基地局と異なる無線基地局によって管理されていることを示すことを特徴とする請求項２に記載の無線基地局。
【請求項５】
所定サーバに対して、前記管理部によって管理されている内容について報告するように構成されている送信部を具備することを特徴とする請求項１乃至４のいずれか一項に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、ＣＡ（Ｃａｒｒｉｅｒ  Ａｇｇｒｅｇａｔｉｏｎ：キャリアアグリゲーション）が規定された。
【０００３】
かかるＣＡは、移動局ＵＥのデータのピークレートやスループットを向上するための技術であり、２つ以上のＣＣ（Ｃｏｍｐｏｎｅｎｔ  Ｃａｒｒｉｅｒ：コンポーネントキャリア）を用いて通信を行うことで実現される。
【０００４】
ＣＡを実現するためには、図３に示すように、無線基地局ｅＮＢが、移動局ＵＥに対して、ＲＲＣ（Ｒａｄｉｏ  Ｒｅｓｏｕｒｃｅ  Ｃｏｎｔｒｏｌ）レイヤにおいて、Ｓｃｅｌｌ（Ｓｅｃｏｎｄａｒｙ  ｃｅｌｌ：セカンダリセル）を追加するための設定（Ｃｏｎｆｉｇｕｒａｔｉｏｎ）を行った後、ＭＡＣ（Ｍｅｄｉａ  Ａｃｃｅｓｓ  Ｃｏｎｔｒｏｌ）レイヤにおいて、かかるＳｃｅｌｌ  をアクティブ化する、すなわち、「Ｓｃｅｌｌ  Ａｃｔｉｖａｔｉｏｎ」を行う必要がある。
【０００５】
その後、無線基地局ｅＮＢは、移動局ＵＥに対して、Ｓｃｅｌｌの変更や削除を行うための設定を行ったり、Ｓｃｅｌｌの非アクティブ化、すなわち、「Ｓｃｅｌｌ  Ｄｅａｃｔｉｖａｔｉｏｎ」を行ったりすることができる。
【０００６】
また、かかるＣＡとして、異なるバンドの複数のマクロセルによるＣＡや、マクロセルとスモールセルとの間の「Ｉｎｔｅｒ-ｂａｎｄ  ＣＡ」や「Ｉｎｔｒａ-ｂａｎｄ  ＣＡ」等が存在する。
【０００７】
ここで、無線基地局ｅＮＢは、ＣＡを行うことができるバンド（セル）の組み合わせ、すなわち、「Ｂａｎｄ  ｃｏｍｂｉｎａｔｉｏｎ」を設定することができるように構成されている。
【０００８】
図４の例では、１.５ＧＨｚ帯のセルと２ＧＨｚ帯のセルとを用いてＣＡを行うことができ、２ＧＨｚ帯のセルと８００ＭＨｚ帯のセルとを用いてＣＡを行うことができるが、１.５ＧＨｚ帯のセルと８００ＭＨｚ帯のセルとを用いてＣＡを行うことができないように設定されている。
【０００９】
そして、図５に示すように、無線基地局ｅＮＢは、かかる設定に基づいて、「ＲＲＣ  Ｃｏｎｎｅｃｔｉｏｎ  Ｒｅｃｏｎｆｉｇｕｒａｔｉｏｎ」によって、移動局ＵＥに対して、Ｅｖｅｎｔ-Ａ３（又は、Ｅｖｅｎｔ-Ａ４）についての「Ｍｅａｓｕｒｅｍｅｎｔ  Ｃｏｎｆｉｇｕｒａｔｉｏｎ」を設定し、移動局ＵＥは、かかる「Ｍｅａｓｕｒｅｍｅｎｔ  Ｃｏｎｆｉｇｕｒａｔｉｏｎ」に基づいて測定処理を行い、Ｅｖｅｎｔ-Ａ３（又は、Ｅｖｅｎｔ-Ａ４）が満たされた場合、その旨を「Ｍｅａｓｕｒｅｍｅｎｔ  Ｒｅｐｏｒｔ」によって無線基地局ｅＮＢに対して報告するように構成されている。
【００１０】
無線基地局ｅＮＢは、かかる「Ｍｅａｓｕｒｅｍｅｎｔ  Ｒｅｐｏｒｔ」に含まれているＰＣＩ/ＥＣＧＩによって特定されるセルを、Ｓｃｅｌｌとして追加することができるように構成されている。
【先行技術文献】
【非特許文献】
【００１１】
【非特許文献１】３ＧＰＰ  ＴＳ３６.３００
【発明の概要】
【発明が解決しようとする課題】
【００１２】
しかしながら、無線基地局ｅＮＢは、「Ｍｅａｓｕｒｅｍｅｎｔ  Ｒｅｐｏｒｔ」に含まれているＰＣＩ/ＥＣＧＩによって特定されるセルを、Ｓｃｅｌｌとして追加することができない場合がある。
【００１３】
例えば、図６に示すように、２ＧＨｚ帯のセルの輻輳レベルが高すぎる場合には、かかる２ＧＨｚ帯のセルをＳｃｅｌｌとして追加する意味がない。
【００１４】
また、図７に示すように、無線基地局ｅＮＢ＃Ａ配下のセルにおいて「ＲＲＣ_Ｃｏｎｎｅｃｔｅｄ状態」の移動局ＵＥが、遠方補足によって、無線基地局ｅＮＢ＃Ａに対して、「Ｍｅａｓｕｒｅｍｅｎｔ  Ｒｅｐｏｒｔ」によって、無線基地局ｅＮＢ＃Ｂ配下の１.５ＧＨｚ帯のセル（ＰＣＩ＃１０）を報告した場合、かかる１.５ＧＨｚ帯のセル（ＰＣＩ＃１０）をＳｃｅｌｌとして追加することができない。
【００１５】
従来の移動通信システムでは、Ｓｃｅｌｌとして追加することができないセルについての情報を、通信事業者によるセルプラニングにフィードバックすることができないという問題点があった。
【００１６】
そこで、本発明は、上述の課題に鑑みてなされたものであり、Ｓｃｅｌｌとして追加することができないセルについての情報を管理することによって、通信事業者によるセルプラニングに活用させることができる無線基地局を提供することを目的とする。
【課題を解決するための手段】
【００１７】
本発明の第１の特徴は、無線基地局であって、測定報告に含まれているセル識別情報によって特定されるセルがセカンダリセルとして追加可能であるか否かについて管理するように構成されている管理部を具備することを要旨とする。
【発明の効果】
【００１８】
以上説明したように、本発明によれば、Ｓｃｅｌｌとして追加することができないセルについての情報を管理することによって、通信事業者によるセルプラニングに活用させることができる無線基地局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】従来技術を説明するための図である。
【図４】従来技術を説明するための図である。
【図５】従来技術を説明するための図である。
【図６】従来技術を説明するための図である。
【図７】従来技術を説明するための図である。
【発明を実施するための形態】
【００２０】
（本発明の第１の実施形態に係る移動通信システム）
図１及び図２を参照して、本発明の第１の実施形態に係る移動通信システムについて説明する。
【００２１】
図１に示すように、本実施形態に係る移動通信システムは、ＭＤＴサーバであるＴＣＥ（Ｔｒａｃｅ  Ｃｏｌｌｅｃｔｉｏｎ  Ｅｎｔｉｔｙ）や、無線基地局ｅＮＢ等を具備している。
【００２２】
なお、本実施形態に係る移動通信システムでは、ＬＴＥのＲｅｌｅａｓｅ-１１方式において規定されている「Ｉｍｍｅｄｉａｔｅ  ＭＤＴ」や「Ｌｏｇｇｅｄ  ＭＤＴ」を実現することが可能である。
【００２３】
図１に示す例では、移動局ＵＥは、無線基地局ｅＮＢ配下で、ＰＣＣ（Ｐｒｉｍａｒｙ  Ｃａｒｒｉｅｒ）のサービングセルであるＰｃｅｌｌ（Ｐｒｉｍａｒｙ  Ｃｅｌｌ）を用いて通信を行っている者とする。
【００２４】
図２に示すように、本実施形態に係る無線基地局ｅＮＢは、受信部１１と、管理部１２と、送信部１３とを具備している。
【００２５】
受信部１１は、移動局ＵＥやＴＣＥから、各種信号を受信するように構成されている。
【００２６】
例えば、受信部１１は、移動局ＵＥから、Ｅｖｅｎｔ-Ａ１〜Ａ６/Ｂ１/Ｂ２が満たされたことを示す「Ｍｅａｓｕｒｅｍｅｎｔ  Ｒｅｐｏｒｔ」を受信するように構成されている。
【００２７】
管理部１２は、移動局ＵＥごとに、受信部１１によって受信された「Ｍｅａｓｕｒｅｍｅｎｔ  Ｒｅｐｏｒｔ」内のセル識別情報（ＰＣＩ：Ｐｈｙｓｉｃａｌ  Ｃｅｌｌ  Ｉｄｅｎｔｉｔｙ/ＥＣＧＩ：Ｅ-ＵＴＲＡＮ  Ｃｅｌｌ  Ｇｌｏｂａｌ  Ｉｄｅｎｔｉｆｉｅｒ）や周波数や「Ｅｖｅｎｔ-Ａ１〜Ａ６/Ｂ１/Ｂ２」や「ＲＳＲＱ（Ｒｅｆｅｒｅｎｃｅ  Ｓｉｇｎａｌ  Ｒｅｃｅｉｖｅｄ  Ｑｕａｌｉｔｙ〜/ＲＳＲＰ（Ｒｅｆｅｒｅｎｃｅ  Ｓｉｇｎａｌ  Ｒｅｃｅｉｖｅｄ  Ｐｏｗｅｒ）」を管理するように構成されている。
【００２８】
また、管理部１２は、「Ｍｅａｓｕｒｅｍｅｎｔ  Ｒｅｐｏｒｔ（例えば、Ｅｖｅｎｔ-Ａ３/Ａ４）」に含まれているＰＣＩ（Ｐｈｙｓｉｃａｌ  Ｃｅｌｌ  Ｉｄｅｎｔｉｔｙ）/ＥＣＧＩ（Ｅ-ＵＴＲＡＮ  Ｃｅｌｌ  Ｇｌｏｂａｌ  Ｉｄｅｎｔｉｆｉｅｒ）によって特定されるセルがＳｃｅｌｌとして追加可能であるか否かについて管理するように構成されている。
【００２９】
例えば、管理部１２は、上述の図６に示すように、「Ｍｅａｓｕｒｅｍｅｎｔ  Ｒｅｐｏｒｔ（例えば、Ｅｖｅｎｔ-Ａ３/Ａ４）」に含まれているＰＣＩ/ＥＣＧＩによって特定されるセルの輻輳レベルが所定閾値よりも高い場合に、かかるセルがＳｃｅｌｌとして追加可能ではないとして管理するように構成されていてもよい。
【００３０】
また、管理部１２は、上述の図７に示すように、「Ｍｅａｓｕｒｅｍｅｎｔ  Ｒｅｐｏｒｔ（例えば、Ｅｖｅｎｔ-Ａ３/Ａ４）」に含まれているＰＣＩ/ＥＣＧＩによって特定されるセルが、無線基地局ｅＮＢとは異なる無線基地局ｅＮＢ（例えば、無線基地局ｅＮＢから所定距離以上離れた位置に設けられている無線基地局ｅＮＢ）によって管理されている場合、かかるセルがＳｃｅｌｌとして追加可能ではないとして管理するように構成されていてもよい。
【００３１】
なお、管理部１２は、上述のセルがＳｃｅｌｌとして追加可能でない場合には、かかるセルがＳｃｅｌｌとして追加可能でない理由（Ｃａｕｓｅ）について管理するように構成されていてもよい。
【００３２】
ここで、上述の理由は、Ｓｃｅｌｌにおける輻輳レベルが所定閾値よりも高いことを示してもよい。
【００３３】
或いは、上述の理由は、ＳｃｅｌｌがＰｃｅｌｌを管理する無線基地局ｅＮＢと異なる無線基地局によって管理されていること（遠方補足）を示してもよい。
【００３４】
また、管理部１２は、「Ｉｍｍｅｄｉａｔｅ  ＭＤＴ」の対象移動局ＵＥについて、スループットや位置情報等を管理するように構成されていてもよい。
【００３５】
送信部１３は、移動局ＵＥやＴＣＥに対して、各種信号を送信するように構成されている。
【００３６】
例えば、送信部１３は、ＴＣＥに対して、管理部１２によって管理されている内容について報告するように構成されていてもよい。
【００３７】
以上に述べた本実施形態の特徴は、以下のように表現されていてもよい。
【００３８】
本実施形態の第１の特徴は、無線基地局ｅＮＢであって、「Ｍｅａｓｕｒｅｍｅｎｔ  Ｒｅｐｏｒｔ（測定報告）」に含まれているＰＣＩ/ＥＣＧＩ（セル識別情報）によって特定されるセルがＳｃｅｌｌ（セカンダリセル）として追加可能であるか否かについて管理するように構成されている管理部１２を具備することを要旨とする。
【００３９】
かかる構成によれば、無線基地局ｅＮＢは、「Ｍｅａｓｕｒｅｍｅｎｔ  Ｒｅｐｏｒｔ（例えば、Ｅｖｅｎｔ-Ａ３/Ａ４）」に含まれているＰＣＩ/ＥＣＧＩによって特定されるセルが、Ｐｃｅｌｌと共にＣＡを行うことができるセルとして設定されている場合であっても、実際の通信環境や通信状況等に応じて、かかるセルをＳｃｅｌｌとして追加しないと判断することができる。
【００４０】
本実施形態の第１の特徴において、管理部１２は、上述のセルがＳｃｅｌｌとして追加可能でない場合には、かかるセルがＳｃｅｌｌとして追加可能でない理由について管理するように構成されていてもよい。
【００４１】
かかる特徴によれば、通信事業者が、上述のセルをＳｃｅｌｌとして追加できない理由が、一時的なものであるのか恒常的なものであるのかについて判断することができる。
【００４２】
本実施形態の第１の特徴において、上述の理由は、Ｓｃｅｌｌにおける輻輳レベルが所定閾値よりも高いことを示してもよい。
【００４３】
かかる特徴によれば、通信事業者が、セルプラニングを行う際に、各セルにおける混雑状況を考慮することができる。
【００４４】
本実施形態の第１の特徴において、上述の理由は、ＳｃｅｌｌがＰｃｅｌｌ（プライマリセル）を管理する無線基地局ｅＮＢと異なる無線基地局によって管理されていることを示してもよい。
【００４５】
かかる特徴によれば、通信事業者が、セルプラニングを行う際に、各セルにおける遠方補足の状況を考慮することができる。
【００４６】
本実施形態の第１の特徴において、ＴＣＥ（所定サーバ）に対して、管理部１２によって管理されている内容について報告するように構成されている送信部１３を具備していてもよい。
【００４７】
かかる特徴によれば、通信事業者が、無線基地局ｅＮＢからＴＣＥに送信された情報に基づいて、セルプラニングを行うことができる。
【００４８】
なお、上述の移動局ＵＥや無線基地局ｅＮＢやＴＣＥの動作は、ハードウェアによって実施されてもよいし、プロセッサによって実行されるソフトウェアモジュールによって実施されてもよいし、両者の組み合わせによって実施されてもよい。
【００４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢやＴＣＥ内に設けられていてもよい。また、かかる記憶媒体及びプロセッサは、ディスクリートコンポーネントとして移動局ＵＥや無線基地局ｅＮＢやＴＣＥ内に設けられていてもよい。
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５２】
ＵＥ…移動局
ｅＮＢ…無線基地局
１１…受信部
１２…測定部
１３…管理部
１４…送信部
【図１】
2014135598.tif 000003
【図２】
2014135598.tif 000004
【図３】
2014135598.tif 000005
【図４】
2014135598.tif 000006
【図５】
2014135598.tif 000007
【図６】
2014135598.tif 000008
【図７】
2014135598.tif 000009